(57)【特許請求の範囲】
【請求項１】
基板と前記基板に配設される光源とを有する発光部と、
前記光源からの光を出射する光出射面と前記光出射面に背向する裏面とを有する光出射部と、前記光源に電気的に接続するコネクタを収容し前記裏面に配置されるコネクタハウジング部と、を含むベースと、
前記ベースを組み付けて、前記発光部及び前記コネクタハウジング部を収容するケースと、を備え、
前記光出射部及び前記コネクタハウジング部を有するベースは一体成形品よりなり、かつ、光拡散材を含む光透過性部材よりなる照明装置。
【請求項２】
前記コネクタハウジング部の少なくとも一部は、前記光源から出射した光の光路上に位置している請求項１に記載の照明装置。
【請求項３】
前記基板は、前記光源が配設される面である光源配設面を有し、
前記コネクタハウジング部の少なくとも一部は、前記ケース内において前記光源配設面と前記光出射部の前記裏面との間に位置する請求項１又は２に記載の照明装置。
【請求項４】
前記コネクタハウジング部の少なくとも一部は、前記光源からの光の配光角内に位置している請求項１〜３の何れか一項に記載の照明装置。
【請求項５】
前記光出射面は、前記照明装置の照明対象部位に到達する光を出射する発光面を有し、
前記コネクタハウジング部の少なくとも一部は、前記ケース内において前記発光面の背面と前記光源との間に位置する請求項１〜４の何れか一項に記載の照明装置。
【発明の詳細な説明】
【技術分野】
【０００１】
本発明は、車両に用いられる照明装置に関する。
【背景技術】
【０００２】
近年、車内用の照明装置は様々な箇所に設けられている。その一つとして例えば、車両ドアに設けられたインサイドハンドルを照明し、インサイドハンドルにおけるユーザーの操作性を向上させたり、また、高級感を演出できる照明装置が知られている。インサイドハンドルはドアトリムに設けられた凹状の収容部に配設され、当該照明装置は、この収容部の上方壁面の裏側に配設される。当該照明装置からの光は、この上方壁面に貫通形成されたスリットから収容部の内部に向かって出射される。こうして、当該照明装置は、収容部の内部及び収容部の内部に配設されるインサイドハンドルを照明する。
【０００３】
従来から、インサイドハンドルを照明する照明装置として、特許文献１に開示された照明装置が知られている。特許文献１の照明装置は、光源と、光源からの光を線状又は面状の光に変換する導光体と、導光体の上面側及び側面側を覆うケースとを有する。特許文献１の照明装置では、光源からの光が導光体の下面側の光出射面に導かれ、光出射面から放射された光がインサイドハンドルを照明する。
【０００４】
このような照明装置において、光出射面を大きく確保するために、照明装置用コネクタが接続されるコネクタハウジングは、一般に光非透過性であるためケース外側に配置される。ところで、車室内を照明する照明装置では、限られたスペース内に照明装置を配置しなければならない場合も多くある。よって、この照明装置用コネクタを脱着するスペースも考慮すると、照明装置自体の大きさを小さくせざるを得ない場合もある。したがって、照明装置自体の大きさを小さくすることで照明装置の光出射面の大きさが制約されてしまい、照明装置が照明対象部位を十分に照明できなくなる虞がある。一方、例えば光出射面の裏面側に光源と照明装置用コネクタとが配置するように、照明装置のケース内にコネクタハウジングを収容することで、製品の小型化が可能となる。しかしながらこの場合には、コネクタハウジングが光源からの光を遮り、十分な量の光が光出射面に到達できなくなる結果、照明装置が照明対象部位を十分に照明できなくなる虞がある。
【先行技術文献】
【特許文献】
【０００５】
【特許文献１】特開２００７−１８５９８０号公報
【発明の概要】
【発明が解決しようとする課題】
【０００６】
本発明は上記事情に鑑みて為されたものでありその目的は、照明装置の小型化に貢献でき、かつ、照明対象部位を十分に照明することが可能な照明装置を提供することである。
【課題を解決するための手段】
【０００７】
上記課題を解決するために本発明の照明装置は、基板と基板に配設される光源とを有する発光部と、光源からの光を出射する光出射面と光出射面に背向する裏面とを有する光出射部と、光源に電気的に接続するコネクタを収容し裏面に配置されるコネクタハウジング部と、を含むベースと、ベースを組み付けて、発光部及びコネクタハウジング部を収容するケースと、を備え、光出射部及びコネクタハウジング部を有するベースは一体成形品よりなり、かつ、光拡散材を含む光透過性部材よりなることを特徴とする。
【発明の効果】
【０００８】
上記構成を採る本発明の照明装置によれば、照明装置の小型化に貢献でき、かつ、照明対象部位を十分に照明することが可能となる。
【図面の簡単な説明】
【０００９】
【図１】実施形態の照明装置１の分解斜視図である。
【図２Ａ】従来の照明装置１を説明するための図である。
【図２Ｂ】実施形態の照明装置１を説明するための図である。
【図３】実施形態の照明装置１をインサイドハンドル６の照明装置として適用した例を説明する斜視図である。
【図４】実施形態の照明装置１をインサイドハンドル６の照明装置として適用した例を説明する図である。
【発明を実施するための形態】
【００１０】
以下、図１〜図４を参照しながら本発明の照明装置１の好適な実施形態及び適用例について説明する。図１〜図４の前、後、右、左、上、下は車両の進行方向に向かって見た方向である。なお、図１及び図２に示す照明装置の方向は、図３及び図４に示す適用例の方向に合わせている。これは説明の便宜上のものであり、したがって、本発明の照明装置の方向がこれに限定されるものではない。
【００１１】
説明に利用する図面は概略図であり、細かい部分での形状や相対的な位置関係、大きさの関係などは必ずしも厳密に記載されているものではない。
【００１２】
また、本明細書において特に言及している事項以外の事柄であって本発明の実施に必要な事項は、当該分野における従来技術に基づく当業者の設計事項として把握され得る。本発明は、本明細書に開示されている内容と当該分野における技術常識とに基づいて実施することができる。
【００１３】
（実施形態）
実施形態における照明装置１は、発光部２と、ベース３と、ケース４と、を有する。
【００１４】
発光部２は、光源２１と回路（図示略）を備える基板２２とを有する。光源２１は、外部電源（図示略）から電気が供給されることにより光を出射する。実施形態における光源２１は表面実装型のＬＥＤであるが、光源２１の種類及び形状は特に限定されるものではない。
【００１５】
基板２２は薄板状であり、基板２２の一方の面には光源２１が配設され、他方の面には回路が配設されている。ここで、本明細書では、光源２１が配設されている基板２２の面を、光源配設面２２ａと称する。基板２２には、回路と電気的に接続しているリード端子２３が配設されている。リード端子２３は、一端が外部電源に接続され他端に照明装置用コネクタを備えた電源ハーネス（図示略）の照明装置用コネクタと電気的に接続可能である。
【００１６】
ベース３は、光出射部３３と、固定部３２と、コネクタハウジング部３１とを有する。光出射部３３と固定部３２とコネクタハウジング部３１とを有するベース３は、射出成形された一体成形品である。ベース３は、光透過性を有する樹脂材料に光拡散材を含ませた材料よりなり、実施形態におけるベース３は、ポリカーボネート樹脂材料に光拡散材を分散させた材料より射出成形されてなる。光透過性を有する樹脂材料としては特に限定されるものではなく、上記ポリカーボネート樹脂材料の他に例えばポリメチルメタクリレート、ポリエチレンテレフタレート、アクリルの樹脂材料を用いることができる。また、光拡散材としては、アクリル系架橋ビーズやポリメタクリルスチレン（ＭＳ）系架橋ビーズなどの有機系粒子や、シリカ、硫酸バリウム、酸化チタンなどの無機系粒子が例示でき、それぞれ単独で用いてもよく、２種以上を組み合わせて用いてもよい。
【００１７】
図１に示すように、光出射部３３は、矩形状の板状体であり、互いに背向する光出射面３３ａ及び裏面３３ｂと、光出射面３３ａ及び裏面３３ｂの間に位置する側面３３ｃと、を有する。側面３３ｃには、後述するケース４に設けられている係止孔（図示略）と係合する係止爪３０が設けられている。
【００１８】
光出射面３３ａはケース４の外側を向く面であり、ケース４内で光出射部３３に到達した光源２１からの光をケース４の外側に向かって出射させる。裏面３３ｂはケース４の内側を向く面であり、裏面３３ｂには、固定部３２及びコネクタハウジング部３１が一体的に形成されている。
【００１９】
固定部３２は、発光部２を固定する。固定部３２は、光出射部３３の裏面３３ｂより立設した断面コの字状の２つの把持部３２ａを離間して有する。２つの把持部３２ａは、光源２１が表出するように光源配設面２２ａを覆い、かつ、各把持部３２ａが基板２２の両端部をそれぞれ挟持して、基板２２を保持する。
【００２０】
コネクタハウジング部３１は貫通孔３１ａを有する筒状であり、光出射部３３の裏面３３ｂより立設している。コネクタハウジング部３１の貫通孔３１ａ内には、発光部２のリード端子２３が配置されている。また、コネクタハウジング部３１の貫通孔３１ａは、電源ハーネスの照明装置用コネクタを収容可能に形成されており、リード端子２３と照明装置用コネクタとは、この貫通孔３１ａ内で電気的に接続される。
【００２１】
コネクタハウジング部３１及び固定部３２は互いに並設している。具体的には、図１に示すように、コネクタハウジング部３１及び固定部３２は、光出射部３３の裏面３３ｂの左端側で互いに隣接している。そして、実施形態におけるコネクタハウジング部３１の一部は、固定部３２よりも右端側に向けて突出している。
【００２２】
上述のとおり、ベース３は光拡散材を含んだ光透過性部材よりなる。したがって、ベース３の構成要素である光出射部３３、固定部３２、及びコネクタハウジング部３１も共に、光拡散材を含んだ光透過性部材よりなる。
【００２３】
ケース４は、図１に示すように、その下側にケース開口部４１を有するドーム状であり、発光部２と、ベース３に設けられている固定部３２及びコネクタハウジング部３１を覆う。図１に示すように、ケース４の前方側壁４ａには、コネクタハウジング部３１の貫通孔３１ａが露出するように側方開口部４２が形成されている。また、ケース４の右方側壁４ｂの内面には、ベース３に設けられた係止爪３０と係合する係止孔（図示略）が設けられている。
【００２４】
ケース４は、光非透過性の樹脂材料に光反射材を含ませた材料よりなる。実施形態におけるケース４は、ポリプロピレン樹脂材料に光反射材を含ませた材料より射出成形されてなる。光非透過性の樹脂材料としては、特に限定されるものではなく、上記ポリプロピレンの他に例えば、ポリエチレン、アクリロニトリル・ブタジエン・スチレン共重合体（ＡＢＳ）、その他の汎用樹脂材料を用いることができる。光反射材としては、例えば、酸化チタン、酸化ケイ素、酸化アルミニウム、チタン酸カリウム、酸化亜鉛、窒化硼素を用いることができる。
【００２５】
実施形態の照明装置１は、以下のようにして、発光部２と、ベース３と、ケース４とが組み付けられている。まず、発光部２をベース３の固定部３２に固定する。具体的には、基板２２を、光源配設面２２ａが光出射部３３の裏面３３ｂに対して垂直になるようにして、固定部３２の把持部３２ａに嵌め込む。このとき、図１に示すように基板２２の光源配設面２２ａが照明装置１の右端側を向くように、すなわち、光源２１が照明装置１の右端側を向くように、基板２２は固定部３２に固定される。また、固定部３２は光出射部３３の裏面３３ｂの左端側に形成されているため、基板２２は裏面３３ｂの左端側に配置されることとなる。
【００２６】
図１に示すように、コネクタハウジング部３１は裏面３３ｂの左端側で固定部３２と並設している。また、コネクタハウジング部３１の一部は、固定部３２よりも裏面３３ｂの右端側に向かって突出している。したがって、コネクタハウジング部３１の一部は、固定部３２に固定された基板２２の光源配設面２２ａよりも裏面３３ｂの右端側に突出している。
【００２７】
次に、発光部２を固定したベース３に、発光部２とコネクタハウジング部３１を覆うようにしてケース４を組み付ける。具体的には、ケース４のケース開口部４１にベース３の光出射部３３を合わせ、かつ、ケース４の側方開口部４２にコネクタハウジング部３１の前端部を合わせる。そして、ケース４の右方側壁４ｂの内面に設けられている係止孔と、ベース３の光出射部３３に設けられている係止爪３０とを爪嵌合し、照明装置１の組み付けが完了する。
【００２８】
（作用効果）
実施形態の照明装置１は、外部電源と電気的に接続する電源ハーネスを介して外部電源からの電気を受電することで作動する。電源ハーネスは、電源ハーネスの照明装置用コネクタと発光部２の基板２２に配設されるリード端子２３とが電気的に接続することで、外部電源からの電気を発光部２に供給する。このとき、電源ハーネスの照明装置用コネクタはコネクタハウジング部３１の貫通孔３１ａ内に収容される。
【００２９】
発光部２に電気が供給されると、光源２１は光を出射する。光源２１から出射された光は、ケース４内に面するベース３の表面に入射する。具体的には、光源２１から出射された光は、直接的に又は間接的に、光出射部３３の裏面３３ｂや、コネクタハウジング部３１の表面や、固定部３２の表面に入射する。
【００３０】
ここで、直接的にケース４内に面するベース３の表面に入射する光（以下、単に「直接的な光」とも称する）とは、光源２１から出射された光のうち、ケース４の内面等に反射されることなく、また、ベース３の光出射部３３以外の部品（例えばコネクタハウジング部３１）を透過することなく入射する光をいう。また、間接的にケース４内に面するベース３の表面に入射する光（以下、単に「間接的な光」とも称する）とは、光源２１から出射された光のうち、直接的な光以外の光をいう。すなわち、光源２１から出射された光のうち、ケース４の内面等で反射した光や、ベース３に含有する光拡散材（例えばコネクタハウジング部３１に含有する光拡散材）によって拡散した光や、ベース３の光出射部３３以外の部品（例えばコネクタハウジング部３１）を透過した光などが、間接的な光である。
【００３１】
これらケース４内に面するベース３の表面に入射した直接的又は間接的な光は、ベース３に含有する光拡散材によって、拡散しながら光出射面３３ａに到達する。  光出射面３３ａに到達した光は、ケース４の外側に出射する。こうして、実施形態の照明装置１は照明対象部位を照明可能となる。
【００３２】
実施形態におけるベース３は、光拡散材を含んだ光透過性部材よりなり、ケース４は光反射材を含む光非透過性部材よりなる。よって、光源２１からの光はケース４を透過することなく、ケース４の内面で反射してベース３の表面に入射できる。ベース３の表面から入射した光は、光拡散材によって拡散されながら光出射面３３ａに到達でき、光出射面３３ａより照明対象部位に向けて出射する。このように、実施形態の照明装置１によれば、光源２１から出射した光が、ロスなく光出射面３３ａに到達可能であるため、照明対象部位をより明るく照明することができる。
【００３３】
ところで、実施形態の照明装置１では、コネクタハウジング部３１がケース４内に配置しているため、照明装置用コネクタはケース４内に配置されている。照明装置用コネクタは、一般にポリブチレンテレフタレートのような光非透過性材料からなる。したがって、コネクタハウジング部３１内に配置される照明装置用コネクタは、光源２１から出射した直接的又は間接的な光を遮る虞がある。このように、光源２１と光出射面３３ａとの間の光路上において、光を遮る障害が存在すると、光出射部３３の裏面３３ｂの一部に光源２１からの光が到達困難な部位が形成され得る。すると、この光源２１からの光が到達困難となる部位の背面側の光出射面３３ａには、十分な量の光が到達できなくなる。その結果、光出射面３３ａに、照明対象部位を十分に照明することが困難となる遮光部が形成される可能性がある。
【００３４】
ここで、図２Ａ及び図２Ｂを参照して説明する。図２Ａは、従来の照明装置１００を光出射面３３０ａから見た説明図であり、図２Ｂは、実施形態の照明装置１を光出射面３３ａから見た説明図である。図２Ａで示す一点鎖線は後述する発光面５００を示し、二点鎖線は遮光部５１０を示す。また、図２Ｂで示す一点鎖線は後述する発光面５を示す。
【００３５】
図２Ａに示すように、従来の照明装置１００では、上記した遮光部５１０が形成されていた。照明装置用コネクタの配置箇所であるコネクタハウジング部３１０がケース４内に存在すると、コネクタハウジング部３１０が光を遮る光路上の障害となる。したがって、図２Ａに示すように、コネクタハウジング部３１０の右側で隣接する裏面３３０ｂに、コネクタハウジング部３１０による影が形成され、この影の背面側の光出射面３３０ａに遮光部５１０が形成されていた。そのため、照明対象部位を十分に照明できる照明可能領域である発光面５００は、少なくともこの遮光部５１０を除外した範囲となる。
【００３６】
一方で、図２Ｂに示すように、実施形態の照明装置１では、コネクタハウジング部３１を含むベース３は光拡散材を含有する光透過性部材からなる。したがって、照明装置用コネクタに向かった光は、照明装置用コネクタに到達する前に光透過性部材からなるコネクタハウジング部３１に入射され、コネクタハウジング部３１に含有する光拡散材によって拡散される。よって、照明装置用コネクタに向かった光は、コネクタハウジング部３１により拡散され、光出射面３３ａに到達できる。具体的には、光源２１からの光がコネクタハウジング部３１の表面から入射すると、光拡散材により、光はコネクタハウジング部３１の背面側の光出射面３３ａに到達できる。また、これだけでなく、光はコネクタハウジング部３１を拡散しながら透過してコネクタハウジング部３１の右側に隣接する裏面３３ｂに入射し、その背面側の光出射面３３ａにまで到達できる。したがって、実施形態の照明装置１であれば、コネクタハウジング部３１の影に光が拡散して回り込むことができるため、従来の照明装置１００のような遮光部５１０は形成されなくなる。したがって、照明可能領域である発光面５は、従来の照明装置１００の発光面５００より広範囲となる。
【００３７】
このように、実施形態の照明装置１であれば、従来の照明装置１００に比べてより広範囲の発光面５を確保できるため、より広範囲の照明対象部位を照明できる。また、実施形態の照明装置１であれば、コネクタハウジング部３１が光源２１からの光を遮ることがないため、より多くの光を光出射面３３ａに到達させることができる。したがって、照明対象部位を十分に明るく照明することができる。  
【００３８】
実施形態におけるベース３において、基板２２の光源配設面２２ａは、光源２１が照明装置１の右端側を向くように、光出射部３３の裏面３３ｂに対して垂直に配置されている。そして、コネクタハウジング部３１の一部は、基板２２の光源配設面２２ａよりも裏面３３ｂの右端側に突出している。このような構成である場合に、図２Ａに示すように、コネクタハウジング部３１の一部は、光源２１からの直接的な光の光路内に位置することとなる。
【００３９】
従来の照明装置１００では、光源２１０からの直接的な光の光路内にコネクタハウジング部３１０の一部が位置すると、コネクタハウジング部３１０が光源２１０からの光を遮る虞がある。よって、上述と同様に、コネクタハウジング部３１０の影となり、光源２１０からの十分な量の光が到達困難となる遮光部５１０が光出射面３３０ａに形成される。
【００４０】
一方、図２Ｂに示すように、実施形態の照明装置１においては、上述のとおり、コネクタハウジング部３１の影に光が回り込むことができるために、従来の照明装置１００に形成される遮光部５１０は形成されない。したがって上述と同様に、実施形態における発光面５は、従来の照明装置１００の発光面５００に比べてより広範囲とすることができる。
【００４１】
また、コネクタハウジング部３１の一部は、光源２１からの直接的な光の光路内のうち、光の配光角内に位置することが望ましい。ここで配光角とは、光源２１の光軸を中心とした光度の角度分布において、光度が半分になる角度の幅（半値全幅）をいう。このような構成であれば、コネクタハウジング部３１を光源２１に近づけて配置することが可能となるため、照明装置１自体の小型化に有利となる。また、実施形態の照明装置１であれば、上述のとおりコネクタハウジング部３１の影に光が回り込むことができるため、従来の照明装置１００に形成される遮光部５１０は形成されない。したがって、照明装置１自体を小型化した場合でも、十分な面積の発光面５を確保することが可能となる。
【００４２】
実施形態の照明装置１では、図２Ｂに示すように、基板２２の光源配設面２２ａと、光出射部３３の裏面３３ｂとの間にコネクタハウジング部３１の一部が位置している。この場合、光源２１からの直接的な光又は間接的な光は、コネクタハウジング部３１に入射される。コネクタハウジング部３１に入射した光は、コネクタハウジング部３１に含有する光拡散材によって拡散され、光出射面３３ａに到達する。つまり、光源２１からの光はロスを少なくして、光出射部３３に到達できる。また、上述同様に、コネクタハウジング部３１に入射した光は拡散して光出射面３３ａに到達できるために、コネクタハウジング部３１の影に光が回り込むことができ、よって、光出射面３３ａに従来の照明装置１００に形成されていたような遮光部５１０を形成しない。したがって、実施形態の照明装置１によれば、発光面５の面積を大きく設定できるため、より広範囲の照明対象部位を照明できる。
【００４３】
また、実施形態の照明装置１では、以下の効果も奏する。実施形態における発光部２の基板２２は、その光源配設面２２ａが光出射部３３の裏面３３ｂと対面しないように配置されている。すなわち、光源２１の光軸が裏面３３ｂと交差しないように設けられている。これにより、光源２１の光軸が裏面３３ｂと交差する場合に比べて、裏面３３ｂに入射されて光出射面３３ａに到達する光源２１からの直接的な光が減る。しかしながら一方で、実施形態におけるベース３は光拡散材を含む光透過性部材からなるため、ベース３内に入射した光は光拡散材により拡散でき、間接的な光が多く光出射面３３ａに到達できる。したがって、実施形態における照明装置１であれば、間接的な光が多く光出射面３３ａに到達できるため、照明対象部位を十分に照明できると共に、直接的な光が光出射面３３ａに到達することを軽減できるため、輝度ムラを軽減できる。
【００４４】
（適用例）
以下、上述した実施形態の照明装置１を車内に適用した例を、図３及び図４を参照して説明する。図３は、実施形態の照明装置１を配置したインサイドハンドル６を表す斜視図である。図４は、図３においてハンドル収容部６１の内側から上側面６１ａのスリット部６１ｂを見た図であり、上側面６１ａの背面に配設されている照明装置１を点線で表している。適用例では、インサイドハンドル６を照明する照明装置として実施形態の照明装置１が適用されている。
【００４５】
図３に示すインサイドハンドル６は、従来から用いられている車両用ドアの操作部であり、車両用ドアトリム（図示略）に取り付けられている。インサイドハンドル６は、ハンドル部６２と、ハンドル部６２を収容するハンドル収容部６１とを有する。
【００４６】
ハンドル収容部６１は、車室内に向かって開口する凹部である。ハンドル収容部６１の上方に位置する上側面６１ａには、貫通孔状のスリット部６１ｂが車両前後方向に沿って延びている。照明装置１は、ハンドル収容部６１の上側面６１ａの背面であってハンドル収容部６１の外側に配設されている。そして、照明装置１の光出射面３３ａと上側面６１ａの背面は接触し、光出射面３３ａの一部がスリット部６１ｂからハンドル収容部６１の内側に面している。図４に示すように、適用例においては、このスリット部６１ｂからハンドル収容部６１の内側に面している光出射面３３ａを発光面５とする。図４に示すように、発光面５の背面に位置する裏面３３ｂと光源２１との間には、コネクタハウジング部３１の一部が位置している。
【００４７】
照明装置１に車両バッテリーから電気が供給されると、光源２１は光を出射する。ここで、ケース４内にコネクタハウジング部３１が存在していたとしても、上記実施形態で説明したとおりに、光源２１から十分な量の光が発光面５に到達できる。発光面５に到達した光は、スリット部６１ｂを介して出射され、ハンドル収容部６１及びハンドル部６２を照明する。したがって、適用例であれば、光源２１から十分な量の光が発光面５に到達できるため、発光面５はハンドル収容部６１及びハンドル部６２を十分に明るく照明することができる。
【００４８】
また、図３に示すように、照明装置１が配置されるハンドル収容部６１ｂの上側面６１ａの背面側は、ドアトリム（車室内装部材）と車両ドア（ボディ）との間であり、限られたスペースしか存在しないのが一般的である。したがって、このような位置に配置される照明装置は、十分な量の光を出射でき、かつ、小型化されたものが望まれる。そこで、実施形態の照明装置１であれば、照明装置用コネクタをケース４内に収容することができると共に、光源２１からの十分な量の光を発光面５に到達させることができるため、製品を小型化することが可能である。したがって、実施形態の照明装置１は、適用例のような限られたスペースに用いる照明装置として有用である。
【００４９】
以上、本発明の好適な実施形態及び適用例を説明してきたが、本発明は特に上記実施形態に限定されるものではない。例えば、実施形態におけるケース４内の空間に導光体を配設してもよい。これにより、より効率的に光源２１からの光を光出射面３３ａの発光面５に導くことができる。またこの場合には、導光体は光拡散材を含むことがより望ましい。導光体に光拡散材を含有させることにより、導光体に導入された光源２１からの光は光拡散材によって拡散して発光面５に到達できる。よって、発光面５における輝度ムラを軽減できる。
【００５０】
実施形態における光出射面３３ａの表面及びコネクタハウジング部３１の表面に、凹凸形状を形成する光拡散処理を施すことができる。これにより、ケース４内の光源からの光がより拡散でき、より多くの光を光出射面３３ａの発光面５に到達させることができる。
【００５１】
実施形態における発光面５は光出射面３３ａの一部であるが、これに代えて、光出射面３３ａ全体が発光面５であっても良い。
【００５２】
実施形態におけるケース４は、光非透過性材料に光反射材を含有させて成型されているが、光非透過性材料に含有させる光反射材を省略して、光非透過性材料からなるケース４の内面に、光反射塗料を塗工する構成であっても良い。
【００５３】
実施形態におけるコネクタハウジング部３１において、照明装置用コネクタが配置される貫通孔３１ａの内壁を光反射材を含有する光非透過性部材で被覆しても良い。すなわち、コネクタハウジング部３１に入射した光源２１からの光が、コネクタハウジング部３１に収容された照明装置用コネクタに到達しないような構成としても良い。この場合には、コネクタハウジング部３１に入射した光は、照明装置用コネクタに吸収されることでロスすることなく、より効率的に発光面５に到達できる。したがって、発光面５に到達する光源２１からの光の量をより増加できる。  
【００５４】
適用例における光出射面３３ａは、取付相手であるハンドル収容部６の上側面６１ｂの背面で、スリット部６１ｂ全体を包含するようにして接触している。このように光出射面３３ａが取付相手と接触して配置されることで、スリット部６１ｂ（発光面５に相当する）から出射される光はロスを少なくして照明対象部位に到達できる。しかしながら、光出射面３３ａは取付相手と接触せずに、互いに離間するように照明装置１が配置されていても良い。このような場合には、発光面５はスリット部６１ｂよりも大きく、かつ、スリット部６１ｂ全体を包含するように設けることが望ましい。発光面５の大きさ（面積）は、スリット部６１ｂの大きさ（面積）に対して１．０倍以上であり、望ましくは１．０倍以上３．０倍以下である。より望ましくは、１．０倍以上１．５倍以下である。
【００５５】
このように発光面５の大きさであれば、取付相手のスリット部６１ｂを通じて光源２１からの十分な量の光を照明対象部位に到達させることができる。
【００５６】
本発明の照明装置１は、以下のように表現できる。
〈１〉基板２２と前記基板２２に配設される光源２１とを有する発光部２と、
前記光源２１からの光を出射する光出射面３３ａと前記光出射面３３ａに背向する裏面３３ｂとを有する光出射部３３と、前記光源２１に電気的に接続するコネクタを収容し前記裏面３３ｂに配置されるコネクタハウジング部３１と、を含むベース３と、
前記ベース３を組み付けて、前記発光部２及び前記コネクタハウジング部３１を収容するケース４と、を備え、
前記光出射部３３及び前記コネクタハウジング部３１を有するベース３は一体成形品よりなり、かつ、光拡散材を含む光透過性部材よりなる照明装置１。
〈２〉前記コネクタハウジング部３１の少なくとも一部は、前記光源２１から出射した光の光路上に位置している〈１〉記載の照明装置１。
〈３〉前記基板２２は、前記光源２１が配設される面である光源配設面２２ａを有し、
前記コネクタハウジング部３１の少なくとも一部は、前記ケース４内において前記光源配設面２２ａと前記光出射部３３の前記裏面３３ｂとの間に位置する〈１〉又は〈２〉に記載の照明装置１。
〈４〉前記コネクタハウジング部３１の少なくとも一部は、前記光源２１からの光の配光角内に位置している〈１〉〜〈３〉の何れか一つに記載の照明装置１。
〈５〉前記光出射面３３ａは、前記照明装置１の照明対象部位６１，６２に到達する光を出射する発光面５を有し、
前記コネクタハウジング部３１の少なくとも一部は、前記ケース４内において前記発光面５の背面（３３ｂ）と前記光源２１との間に位置する〈１〉〜〈４〉の何れか一つに記載の照明装置１。
【符号の説明】
【００５７】
１：照明装置                  ２：発光部                  ２１：光源
２２：基板                  ２２ａ：光源配設面                ３：ベース
３１：コネクタハウジング部    ３２：固定部                  ３３：光出射部  
３３ａ：光出射面              ３３ｂ：裏面                      ４：ケース  
５：発光面                  
【図１】
0006512149.tif 000002
【図２Ａ】
0006512149.tif 000003
【図２Ｂ】
0006512149.tif 000004
【図３】
0006512149.tif 000005
【図４】
0006512149.tif 000006